(57)【要約】【課題】設置後に回転軸の傾きが判明した場合でも、回転軸の角度調節を可能とすることにより、再度設置しなおすことを不要とするとともに、スクリーンシートを巻き取った際に巻きズレの発生を防止することができるため、回転軸に対してスクリーンシートの大きさを確保することが可能となる、映写用スクリーン装置を提供する。【解決手段】スクリーン装置１は、前面側にスクリーン面２Ａが形成されるスクリーンシート２と、スクリーンシート２が巻回される軸部材４と、巻回された状態のスクリーンシート２と、軸部材４と、を収納する長尺の筐体３と、を備え、スクリーンシート２は、筐体３の内部の軸部材４からの繰出し、及び、筐体３の内部の軸部材４への巻取りが可能とされ、筐体３は、軸部材４の端部を鉛直上向きに支持する支持部材５１を備え、支持部材５１は、筐体３に対して鉛直方向に相対変位可能に設けられる。【選択図】図５
2020134676.tif 000002
【特許請求の範囲】
【請求項１】
少なくとも一方の面にスクリーン面が形成されるスクリーンシートと、
前記スクリーンシートが巻回される軸部材と、
巻回された状態の前記スクリーンシートと、前記軸部材と、を収納する長尺の筐体と、を備え、
前記スクリーンシートは、前記筐体内部の前記軸部材からの繰出し、及び、前記筐体内部の前記軸部材への巻取りが可能とされ、
前記筐体は、前記軸部材の端部を鉛直上向きに支持する支持部材を備え、
前記支持部材は、前記筐体に対して鉛直方向に相対変位可能に設けられる、映写用スクリーン装置。
【請求項２】
前記支持部材は、前記筐体の両端部に設けられ、
それぞれの前記支持部材は、前記軸部材の端部を鉛直上向きに支持する、請求項１に記載の映写用スクリーン装置。
【請求項３】
前記支持部材は、前記筐体において水平面と平行に固定される固定板の上方に設けられ、
前記固定板には被螺入孔が開口され、
前記被螺入孔には下方より調節ねじが螺入され、
前記調節ねじの先端部に前記支持部材が載置され、
前記被螺入孔に対する調節ねじの螺入量を調節することにより、前記支持部材が前記固定板に対して鉛直方向に相対変位可能とされる、請求項１又は請求項２に記載の映写用スクリーン装置。
【請求項４】
前記筐体には、前記支持部材を被覆するカバーが設けられる、請求項１から請求項３の何れか一項に記載の映写用スクリーン装置。
【発明の詳細な説明】
【技術分野】
【０００１】
本発明は、構造物の天井等に設置する映写用スクリーン装置に関する。
【背景技術】
【０００２】
従来、企業や学校において、プロジェクタ等の画像投影機によって画像を投影するスクリーンとして、構造物の天井等に設置する映写用スクリーン装置が用いられている。このような映写用スクリーン装置は、スクリーンシートと、スクリーンシートを巻き取るための軸部材と、スクリーンシートを収納するための筐体と、を備えたものが知られている（例えば、特許文献１）。
【先行技術文献】
【特許文献】
【０００３】
【特許文献１】特開２００５−１１５３４０号公報
【発明の概要】
【発明が解決しようとする課題】
【０００４】
前記の特許文献１には、固定部材に対して収納ケースの回転軸芯方向の位置を調節する技術が記載されている。このような構成によれば、一旦映写用スクリーン装置を天井等に仮設した後で、スクリーンシートの回転軸芯方向の位置を微調整することができる。
【０００５】
しかし、上記の特許文献においては、映写用スクリーン装置を天井等に設置した後で、スクリーンシートの回転軸に上下方向の傾きが生じていることが判明した場合（回転軸の何れか一方が他方に比べて高い、又は、低い場合）に高さを調節する構成は記載されていない。
【０００６】
スクリーンシートの回転軸に上下方向の傾きがあると、映写用スクリーン装置を使用する際にスクリーンシート上のしわの発生原因となる。このため、上記の如く設置後に回転軸の傾きが判明した場合は、映写用スクリーン装置を再度設置しなおす必要があった。
【０００７】
また、スクリーンシートの回転軸の傾きにより、スクリーンシートを巻き取った際に巻きズレが発生する。この巻きズレに対応するためには、スクリーンシートの左右両端部を回転軸に対して小さく形成する必要があった。
【０００８】
本発明は以上の如き状況に鑑みてなされたものであり、本発明が解決しようとする課題は、設置後に回転軸の傾きが判明した場合でも、回転軸の角度調節を可能とすることにより、再度設置しなおすことを不要とするとともに、スクリーンシートを巻き取った際に巻きズレの発生を防止することができるため、回転軸に対してスクリーンシートの大きさを確保することが可能となる、映写用スクリーン装置を提供することである。
【課題を解決するための手段】
【０００９】
以下では、上記課題を解決するための手段を説明する。
【００１０】
本発明に係る映写用スクリーン装置は、少なくとも一方の面にスクリーン面が形成されるスクリーンシートと、前記スクリーンシートが巻回される軸部材と、巻回された状態の前記スクリーンシートと、前記軸部材と、を収納する長尺の筐体と、を備え、前記スクリーンシートは、前記筐体内部の前記軸部材からの繰出し、及び、前記筐体内部の前記軸部材への巻取りが可能とされ、前記筐体は、前記軸部材の端部を鉛直上向きに支持する支持部材を備え、前記支持部材は、前記筐体に対して鉛直方向に相対変位可能に設けられる。
【００１１】
また、前記支持部材は、前記筐体の両端部に設けられ、それぞれの前記支持部材は、前記軸部材の端部を鉛直上向きに支持することが好ましい。
【００１２】
また、前記支持部材は、前記筐体において水平面と平行に固定される固定板の上方に設けられ、前記固定板には被螺入孔が開口され、前記被螺入孔には下方より調節ねじが螺入され、前記調節ねじの先端部に前記支持部材が載置され、前記被螺入孔に対する調節ねじの螺入量を調節することにより、前記支持部材が前記固定板に対して鉛直方向に相対変位可能とされることがより好ましい。
【００１３】
また、前記筐体には、前記支持部材を被覆するカバーが設けられることがより好ましい。
【発明の効果】
【００１４】
本発明に係る映写用スクリーン装置によれば、設置後に回転軸の傾きが判明した場合でも、回転軸の角度調節を可能とすることにより、再度設置しなおすことが不要となるとともに、スクリーンシートを巻き取った際に巻きズレの発生を防止することができるため、回転軸に対してスクリーンシートの大きさを確保することが可能となる、という効果を奏する。
【００１５】
また、筐体の両端部において回転軸の角度調節を可能とすることにより、映写用スクリーン装置の設置のしやすさをより向上させることが可能となる。
【００１６】
また、調節ねじの螺入量を調節して回転軸の角度調節を可能とすることにより、映写用スクリーン装置の設置のしやすさをさらに向上させることが可能となる。
【００１７】
また、支持部材を被覆することにより、映写用スクリーン装置のデザイン性を向上させることが可能となる。
【図面の簡単な説明】
【００１８】
【図１】本発明の一実施形態に係る映写用スクリーン装置を示す斜視図。
【図２】映写用スクリーン装置の設置状態を示す下方斜視図。
【図３】映写用スクリーン装置の使用状態を示す斜視図。
【図４】映写用スクリーン装置の右側端部を示す下方斜視図。
【図５】映写用スクリーン装置の底カバー及び右側カバーを外した状態を示す斜視図。
【図６】映写用スクリーン装置における右側支持機構を示した側面図。
【図７】映写用スクリーン装置における右側支持機構を示した正面断面図。
【図８】軸部材の端部を持ち上げた状態の右側支持機構を示した正面断面図。
【図９】映写用スクリーン装置の底カバー及び左側カバーを外した状態を示す斜視図。
【図１０】映写用スクリーン装置における左側支持機構を示した正面断面図。
【図１１】別実施例に係る映写用スクリーン装置における右側支持機構を示した正面断面図。
【発明を実施するための形態】
【００１９】
以下では図１から図１０を用いて、本発明の一実施形態に係る映写用スクリーン装置（以下、単に「スクリーン装置」と記載する）１について説明する。各図に示す矢印は、スクリーン装置１を設置した状態における方向を示している。
【００２０】
図１に示す如く、スクリーン装置１は、スクリーンシート２と、スクリーンシート２が巻回される軸部材４と、巻回された状態のスクリーンシート２及び軸部材４を収納する長尺の筐体３と、を備える。図２に示す如く、本実施形態に係るスクリーン装置１は、天井Ｓに嵌め込まれた溝状の固定部材Ｃに挿入された状態で使用される。詳細には、スクリーン装置１は下面が下方に表出した状態で固定部材Ｃに固定されて使用される。
【００２１】
スクリーンシート２は図３に示す如く下方に繰出された使用状態と、図１及び図２に示す如く巻取られた収納状態とを遷移可能とされる。図３に示す如く、スクリーンシート２の前面側にはスクリーン面２Ａが形成される。スクリーン面２Ａは、スクリーンシート２の少なくとも一方の面に形成されていればよく、スクリーンシート２の後面側又は両面にスクリーン面２Ａが形成されていても差し支えない。
【００２２】
スクリーンシート２の先端部（図３における下端部）には、樹脂製の先端支持部材２Ｂが左右方向に沿って固定されている。先端支持部材２Ｂは、使用者がスクリーンシート２を引き出す際の把持部として機能する。
【００２３】
軸部材４は、繰出された状態のスクリーンシート２を筐体３の内部に巻取るための回転軸である。スクリーンシート２の基端部（図３における上側端部）は、軸部材４を中心として軸部材４に回動可能に設けられた円柱部材であるローラ４ａに固定されている。即ち、スクリーン装置１の収納状態において、スクリーンシート２はローラ４ａに巻回されている。軸部材４は左右の両端部が筐体３（詳細には、後述する支持部材５１）に支持される。
【００２４】
スクリーン装置１は、軸部材４に巻取られた状態のスクリーンシート２を収納する樹脂製の長尺部材である筐体３を備える。筐体３は、下面及び左右の両側面が開口された中空の角筒状部材である本体部３Ａと、本体部３Ａの下側開口部を閉塞する底カバー３Ｂと、本体部３Ａの右側開口部を閉塞する右側カバー３Ｒと、本体部３Ａの左側開口部を閉塞する左側カバー３Ｌと、で構成される。
【００２５】
底カバー３Ｂは、図４に示す如く本体部３Ａの下面に着脱可能に設けられる。底カバー３Ｂの後部は開口されており、この開口部分を通じてスクリーンシート２の繰出し及び巻取りが行われる。また、右側カバー３Ｒは図４及び図５に示す如く、本体部３Ａの右側端部に対して着脱可能に設けられる。同様に、左側カバー３Ｌについても図９に示す如く、本体部３Ａの左側端部に対して着脱可能に設けられる。
【００２６】
なお、本実施形態においては、右側カバー３Ｒ及び左側カバー３Ｌの内部は空洞となっているが、この右側カバー３Ｒ又は左側カバー３Ｌの内部にスクリーン装置１の制御部、カメラ、マイク、スピーカ等の機器を収容する構成とすることも可能である。
【００２７】
本実施形態に係るスクリーン装置１は、図１０に示す如くローラ４ａの左側端部にモータＭが取り付けられている。モータＭは図示しない制御部と電気的に接続されており、制御部の制御により、電動でスクリーンシート２の繰出し及び巻取りを行うように構成されている。なお、スクリーンシート２の繰出し及び巻取りを手動で行うように構成することも可能である。この場合、渦巻きばね等の付勢手段によりローラ４ａを回動させて、スクリーンシート２の巻取りを行う構成とすることが好ましい。
【００２８】
本実施形態に係るスクリーン装置１は図６から図１０に示す如く、筐体３に対する軸部材４の角度を調整可能とする支持機構５０を備える。具体的には、スクリーン装置１の右側には右側支持機構５０Ｒが設けられ、スクリーン装置１の左側には左側支持機構５０Ｌが設けられている。図７及び図１０に示す如く、右側支持機構５０Ｒと左側支持機構５０Ｌとはほぼ同じ構成であるため、本明細書においては右側支持機構５０Ｒについて説明し、左側支持機構５０Ｌについては詳細な説明を省略する。
【００２９】
図６及び図７に示す如く、右側支持機構５０Ｒは、ブラケット３１、支持部材５１、固定板５２、調節ねじ５３、及び、固定ねじ５４を主な構成要素として備える。
【００３０】
ブラケット３１は正面視の断面形状が略Ｌ字状となるように折り曲げられた板金製の部材である。ブラケット３１において軸部材４と直交する面には上下方向に長い挿通孔３１ａが開口されており、挿通孔３１ａには軸部材４が挿通される。
【００３１】
挿通孔３１ａに挿通された軸部材４の右端部には、支持部材５１が溶接により固定される。即ち、支持部材５１は軸部材４の右端部を鉛直上向きに支持している。支持部材５１は正面視で略コ字状に折り曲げられた板金製の部材である。支持部材５１の下部は水平面と平行に設けられた当接板５１ａが形成される。本実施形態においては図６に示す如く、挿通孔３１ａが上下方向に長く形成されているため、軸部材４は上下に変位可能とされる。即ち、支持部材５１は、筐体３に対して鉛直方向に相対変位可能に設けられている。支持部材５１は、ブラケット３１に開口された図示しない長孔に挿入された固定ねじ５４・５４を介してブラケット３１に固定される。
【００３２】
図６及び図７に示す如く、ブラケット３１における支持部材５１の下方には、水平面と平行となるように固定板５２が固定される。換言すれば、支持部材５１は、筐体３に固定される固定板５２の上方に設けられている。固定板５２には上下方向に貫通する被螺入孔５２ａが開口され、被螺入孔５２ａには下方より調節ねじ５３が螺入される。そして、図６及び図７に示す如く、調節ねじ５３の先端部に支持部材５１の当接板５１ａが載置される。
【００３３】
このように構成された右側支持機構５０Ｒにおいて、被螺入孔５２ａに対する調節ねじ５３の螺入量を調節することにより、支持部材５１が固定板５２に対して鉛直方向に相対変位する。具体的には図８に示す如く、底カバー３Ｂ及び右側カバー３Ｒを取り外した状態で、固定ねじ５４・５４を回転させて、ブラケット３１に対する支持部材５１の固定状態を解除する。そして、ドライバー等により調節ねじ５３を回転し、被螺入孔５２ａに対して調節ねじ５３の上方への螺入量を大きくする。これにより、支持部材５１が固定板５２から離間して持ち上げられる。即ち、軸部材４は右側が高くなるように変位し、筐体３に対する角度が調節される。その後、固定ねじ５４・５４を締め付けることにより、ブラケット３１に対して支持部材５１を固定するのである。
【００３４】
逆に、軸部材４の右側が低くなるように変位させて、筐体３に対する角度を調節する場合は、被螺入孔５２ａに対して調節ねじ５３の上方への螺入量を小さくする。これにより、支持部材５１が固定板５２に近接させるのである。
【００３５】
上記の如く、本実施形態に係るスクリーン装置１によれば、スクリーン装置１を天井Ｓの固定部材Ｃに設置した後で、スクリーンシート２の軸部材４に上下方向の傾きが生じていることが判明した場合でも、右側支持機構５０Ｒ又は左側支持機構５０Ｌを操作することにより、軸部材４の角度を調節することができる。即ち、スクリーン装置１によれば、設置後に軸部材４の傾きが判明した場合に、スクリーン装置１を再度設置しなおすことなく軸部材４の角度を調節でき、スクリーンシート２上のしわの発生を防止できるのである。
【００３６】
また、スクリーン装置１によれば、軸部材４の角度を調節することにより、軸部材４の傾きをゼロにすることができる。このため、スクリーンシート２を巻き取った際に巻きズレの発生を防止できる。即ち、スクリーンシート２の左右両端部を軸部材４に対して小さく形成する必要がないため、軸部材４に対するスクリーンシート２の大きさを確保することが可能となる。
【００３７】
また、スクリーン装置１においては、筐体３の両端部に右側支持機構５０Ｒ及び左側支持機構５０Ｌを設ける構成としている。これにより、軸部材４の右端部及び左端部のどちらについても操作することを可能としている。具体的には、軸部材４の右側端部が高い場合のは、右側支持機構５０Ｒを調節して軸部材４の右側端部を下げても、左側支持機構５０Ｌを調節して軸部材４の左側端部を上げても、どちらでも良い。即ち、本実施形態に係るスクリーン装置１においては、設置のしやすさをより向上させることを可能としているのである。
【００３８】
また、スクリーン装置１においては、被螺入孔５２ａに対する調節ねじ５３の螺入量を調節することにより、支持部材５１を固定板５２に対して鉛直方向に相対変位可能としている。これにより、スクリーン装置１の使用者は調節ねじ５３を回転させるだけで軸部材４の角度を調節することが可能となる。即ち、簡易な操作でスクリーンシート２の角度を調節することができる。即ち、本実施形態に係るスクリーン装置１においては、設置のしやすさをさらに向上させることを可能としているのである。
【００３９】
また、スクリーン装置１においては、筐体３における右側開口部を閉塞する右側カバー３Ｒと、筐体３の左側開口部を閉塞する左側カバー３Ｌと、を備える。そして、これらの右側カバー３Ｒ及び左側カバー３Ｌにより、右側支持機構５０Ｒ及び左側支持機構５０Ｌを被覆している。これにより、外部から右側支持機構５０Ｒ及び左側支持機構５０Ｌを視認できなくして、スクリーン装置１のデザイン性を向上させている。
【００４０】
なお、支持部材５１を固定板５２に対して鉛直方向に相対変位させる構成は、調節ねじ５３を用いると異なる構成を採用することも可能である。例えば、図１１に示す別実施形態の如く、くさび部材６２を用いて支持部材５１を変位させる構成とすることもできる。具体的には、固定板５２にアクチュエータ６０を固定し、アクチュエータ６０から延出されるロッド６０ａを、レール６１の上を変位可能に設けられたくさび部材６２に固定する。そして、図１１中の矢印Ｓに示す如く、アクチュエータ６０からロッド６０ａを延出させることにより、くさび部材６２を介して支持部材５１を持ち上げるのである。ロッド６０ａが反対方向に退避した場合、支持部材５１が自重により下降する。
【００４１】
本実施形態においては、軸部材４に水準器センサを設け、この水準器センサで検知結果に基づいてアクチュエータ６０によるロッド６０ａの延出量を制御し、軸部材４の角度をリアルタイムで自動的に調節する構成とすることも可能である。これにより、地震等が発生した場合にスクリーン装置１が傾いても、自動で軸部材４の角度を水平に調節することができる。
【符号の説明】
【００４２】
１      スクリーン装置（映写用スクリーン装置）
２      スクリーンシート           ２Ａ    スクリーン面         
２Ｂ    先端支持部材               ３      筐体                 
３Ａ    本体部                     ３Ｂ    底カバー             
３Ｒ    右側カバー                 ３Ｌ    左側カバー           
４      軸部材                     ４ａ    ローラ               
３１      ブラケット               ３１ａ    挿通孔               
５０      支持機構                 ５０Ｒ    右側支持機構         
５０Ｌ    左側支持機構             ５１      支持部材             
５１ａ    当接板                   ５２      固定板               
５２ａ    被螺入孔                 ５３      調節ねじ             
５４      固定ねじ                 ６０      アクチュエータ       
６０ａ    ロッド                   ６１      レール               
６２      くさび部材                 Ｓ      天井                 
Ｃ      固定部材                   Ｍ      モータ               
【図１】
2020134676.tif 000003
【図２】
2020134676.tif 000004
【図３】
2020134676.tif 000005
【図４】
2020134676.tif 000006
【図５】
2020134676.tif 000007
【図６】
2020134676.tif 000008
【図７】
2020134676.tif 000009
【図８】
2020134676.tif 000010
【図９】
2020134676.tif 000011
【図１０】
2020134676.tif 000012
【図１１】
2020134676.tif 000013